(57)【要約】 【課題】  コード類の断線を防止することができるとともに、部品点数を低減することができるコードガイドを提供する。【解決手段】  第２ロッド１９に、コードガイド３６を摺動可能に支持するための摺動支持部３６ａと、コード類２８を案内するためのガイド部３６ｂとを有するコードガイド３６を設ける。【選択図】      図１
2005313782.tif 000002
【特許請求の範囲】
【請求項１】
電子機器のコード類を案内するコードガイドであって、
該コードガイドに対する取付対象部に、このコードガイドの一部が可動に取付け可能に構成されることを特徴とするコードガイド。
【請求項２】
前記取付対象部は、前記電子機器を車両に支持する取付スタンドであることを特徴とする請求項１に記載のコードガイド。
【請求項３】
前記取付対象部には、コードガイドを可動に取付けるための溝部分が形成されていることを特徴とする請求項１または２に記載のコードガイド。
【請求項４】
前記溝部分は、コードガイドの可動範囲において、該コードガイドを所望位置に規制するように形成されていることを特徴とする請求項３に記載のコードガイド。
【請求項５】
前記コード類は、コードガイドの可動方向に沿って伸縮可能に形成されることを特徴とする請求項１〜４のいずれか１つに記載のコードガイド。
【発明の詳細な説明】
【技術分野】
【０００１】
本発明は、コードガイドに関し、たとえば車両などで用いられる汎用ディスプレイスタンドなどに適用される技術に関する。
【０００２】
本発明において、「コード類」は、電源用コード、電気的な信号のやりとりを行うためのコード、アンテナ線およびアース用配線の少なくともいずれか１つを含む。
【背景技術】
【０００３】
たとえばディスプレイなどを車室内において支持する取付スタンドが実用に供されている（たとえば特許文献１）。図２４は、従来のコードガイドを示す斜視図である。従来のコードガイドの一方の結束部は、取付スタンドの一部に捩り付けて結束可能でかつ、コードガイドの他方の結束部は、ディスプレイのコード類に捩り付けて結束可能になっている。
【０００４】
【特許文献１】特開平１１−１５１９８８号公報
【発明の開示】
【発明が解決しようとする課題】
【０００５】
従来のコードガイドにおいては、次のような問題がある。（１）コード類がタイトに捩り付けて結束されているので、取付スタンドおよびコード類が車両本体に対し変位することに起因して、コード類が断線する場合がある。たとえば座席シートの一部に取付スタンドが固着されている場合、座席シートを角度調整することで、取付スタンドおよびコード類が車両に対し一体的に変位する。これによってコード類の長手方向に引張り力が作用し、断線する原因となる。（２）コード類がタイトに捩り付けて結束されているので、コード類のたるみなどを防止するには、複数箇所でコード類を結束しなければならない。それ故、取付スタンド一個あたりに使用するコードガイドの部品点数が多くなる。
【０００６】
本発明の目的は、コード類の断線を防止することができるとともに、部品点数を低減することができるコードガイドを提供することである。
【課題を解決するための手段】
【０００７】
本発明は、電子機器のコード類を案内するコードガイドであって、
該コードガイドに対する取付対象部に、このコードガイドの一部が可動に取付け可能に構成されることを特徴とするコードガイドである。
【０００８】
本発明に従えば、コードガイドによって、電子機器のコード類を案内し得る。前記取付対象部には、前記コードガイドの一部が可動に取付け可能に構成される。このようにコードガイドの一部が可動に取付け可能になっているので、電子機器のコード類のたるみなどを防止できるうえ、従来の取付対象部の複数箇所において結束すべき複数のコードガイドよりも、その部品点数つまりコードガイド自体の数を低減することができる。
【０００９】
また本発明は、前記取付対象部は、前記電子機器を車両に支持する取付スタンドであることを特徴とする。
【００１０】
本発明に従えば、前記取付対象部は取付スタンドであり、前記電子機器は、前記取付スタンドによって車両に支持可能になっている。
【００１１】
また本発明は、前記取付対象部には、コードガイドを可動に取付けるための溝部分が形成されていることを特徴とする。
【００１２】
本発明に従えば、取付対象部には、溝部分が形成されている。この溝部分に、コードガイドを可動に取付けることができる。
【００１３】
また本発明は、前記溝部分は、コードガイドの可動範囲において、該コードガイドを所望位置に規制するように形成されていることを特徴とする。
【００１４】
本発明に従えば、前記溝部分は、コードガイドの可動範囲において、コードガイドを所望位置に規制するように形成されている。換言すれば、コード類を案内すべき所望位置において、コードガイドを規制することができる。
【００１５】
また本発明は、前記コード類は、コードガイドの可動方向に沿って伸縮可能に形成されることを特徴とする。
【００１６】
本発明に従えば、前記コード類は、コードガイドの可動方向に沿って伸縮可能になっている。つまりコードガイドの可動に伴って、前記コード類は伸縮する。このようにコード類の伸縮によって、コードガイドが可動方向に可動することを許容することができる。
【発明の効果】
【００１７】
本発明によれば、取付対象部には、コードガイドの一部が可動に取付け可能に構成される。このようにコードガイドの一部が可動に取付け可能になっているので、電子機器のコード類のたるみなどを防止できるうえ、従来の取付対象部の複数箇所において結束すべき複数のコードガイドよりも、その部品点数を低減することができる。しかも取付対象部およびコード類が変位することに起因するコード類の断線を、未然に防止することが可能となる。
【００１８】
また本発明によれば、取付対象部は取付スタンドであり、電子機器は、前記取付スタンドによって車両に支持可能になっている。この取付スタンドに、コードガイドの一部を可動に取付けることができる。
【００１９】
また本発明によれば、取付対象部には、溝部分が形成されている。この溝部分に、コードガイドを可動に取付けることができる。
【００２０】
また本発明によれば、前記溝部分は、コードガイドの可動範囲において、コードガイドを所望位置に規制するように形成されている。換言すれば、コード類を案内すべき所望位置において、コードガイドを規制することができる。これによってコードガイドの汎用性を高くすることができる。
【００２１】
また本発明によれば、前記コード類は、コードガイドの可動方向に沿って伸縮可能になっている。つまりコードガイドの可動に伴って、前記コード類は伸縮する。このようにコード類の伸縮によって、コードガイドが可動方向に可動することを許容することができる。これによってコード類が断線することを防止することもできる。
【発明を実施するための最良の形態】
【００２２】
図１は、本発明の第１実施形態に係る取付スタンド１０と車両との関係を概略示す斜視図である。図２は、車両用シート１１の一部に、取付スタンド１０を介してディスプレイ１２が支持される形態を示す斜視図である。本第１実施形態においては、車両用シートのうち前部座席のヘッドレストの軸部に、取付スタンドが固着された一例を示す。
【００２３】
取付スタンド１０は、電子機器としてのディスプレイ１２を車両に支持するものであって、図２、３に示すように、主に、スタンドベース１３、スタンド本体１４、電子機器基台１５（基台１５という）およびコードガイド１６を有する。ヘッドレスト１１Ａの一対の軸部に、スタンドベース１３が着脱可能に設けられる構成となっている。このスタンドベース１３は、ヘッドレスト１１Ａの一対の軸部にそれぞれ対応する一対のベース部材１７を備えている。つまり一対のベース部材１７に、一対の軸部がそれぞれ挿入可能に構成されている。これによってスタンドベース１３の軸線まわりの変位、軸線方向の変位および軸線方向に垂直な垂直方向まわりの変位が規制されるようになっている。
【００２４】
各ベース部材１７は略直方体形状を成し、その長手方向一端部に、ヘッドレスト１１Ａの軸部を挿入するための貫通孔１７ａが形成されている。前記貫通孔１７ａは、各ベース部材１７の厚み方向に貫通するように形成されるうえ、ベース部材１７はこのベース部材自体が前記垂直方向まわりに変位しないような必要最小厚さに形成されている。これによってヘッドレスト１１Ａの高さが不所望に高くなり過ぎることを防止し得る。また各ベース部材１７の貫通孔１７ａには、ヘッドレスト１１Ａの軸部の軸径に応じて、フランジ付円筒形状の図示外のアダプタースリーブが設けられる。つまり各ベース部材１７の貫通孔１７ａに、軸部だけでなくアダプタースリーブが挿入される場合がある。いずれの場合にも、各軸部にベース部材１７がややタイトに外装され、スタンドベース１３は、ガタつくことなく車両に固着される。しかも一対のベース部材１７は、平行にかつ車両の後方向きに所定小距離突出するように配設される。前記「略直方体形状」は、直方体形状を含む。
【００２５】
図３は、取付スタンド１０のスタンド本体１４とコードガイド１６とを示す斜視図である。図４は、取付スタンド１０を、スタンド本体１４の長手方向およびガイド部の突出方向を含む仮想平面で切断して見た断面図である。図５は、一方のコードガイド１６ａに対し、他方のコードガイド１６ｂを長手方向に離隔した状態を示す断面図である。図６は、取付スタンド１０の要部をガイド部の突出方向に見た平面図である。
【００２６】
前記各ベース部材１７の長手方向他端部に、スタンド本体１４が固着されている。スタンド本体１４は、主に、第１，第２ロッド１８，１９および第２ロッド位置決め部材２０を備えている。第１ロッド１８は、ベース部材１７の長手方向および軸線方向に対し直角方向に伸びる棒状でかつ筒状部材である。この第１ロッド１８の長手方向一端部が一方のベース部材１７に固着されるとともに、第１ロッド１８の長手方向中間付近部が他方のベース部材１７に固着されている。これによって第１ロッド１８の長手方向他端部は、車幅方向に突出するように配設される。前記第１ロッド１８に、第２ロッド１９が摺動可能に挿入されている。この第２ロッド１９も、第１ロッド１８と同様にベース部材１７の長手方向および軸線方向に対し直角方向に伸びる棒状でかつ筒状部材である。つまり第１ロッド１８に対し、第２ロッド１９を車幅方向に位置調整することが可能になっている。
【００２７】
第２ロッド位置決め部材２０は、第１ロッド１８に対し第２ロッド１９を所望の位置に規制するつまりロックするための部材である。第２ロッド位置決め部材２０を、単に、位置決め部材２０という場合がある。第１ロッド１８の長手方向他端部において、図示外の開口孔が形成されており、この開口孔を塞ぐように位置決め部材２０が外装されている。位置決め部材２０には、第１ロッド１８を挿入可能な挿入孔２０ａが形成され、位置決め部材２０の一表面部に、ロックレバー２０ｂが揺動可能に付設されている。ロックレバー２０ｂは、ロック状態とロック解除状態とにわたって揺動切替え可能に構成されている。ロックレバー２０ｂの揺動基端部に、図示外のカムが一体形成され、このカムは、挿入孔２０ａに進退可能に構成されている。ロックレバー２０ｂを一方向に揺動変位することで、カムが挿入孔２０ａに進出つまり突出し、第２ロッド１９を押圧することでロック状態となるように構成されている。逆に、ロックレバー２０ｂを他方向に揺動変位することで、カムが挿入孔２０ａから退き、ロック解除状態となるように構成されている。
【００２８】
図７は、一方のコードガイド１６ａを嵌合可能なスタンド本体の要部を示す図であり、図７（ａ）は、前記スタンド本体の要部を、その長手方向およびガイド部の突出方向を含む仮想平面で切断して見た断面図、図７（ｂ）は、前記スタンド本体の要部を、ガイド部の突出方向他方から見た底面図、図７（ｃ）は、前記スタンド本体の要部を、長手方向に見た側面図である。図４〜図６も参照しつつ説明する。
【００２９】
基台１５は、ディスプレイ１２を取付けるためのものであって、第２ロッド１９の長手方向先端部に着脱可能に連結されている。具体的に、基台１５には、図７（ａ）に示すように、第２ロッド１９の長手方向先端部を挿入可能な挿入孔１５ａが形成されている。前記長手方向先端部を挿入孔１５ａに挿入した状態で、締結具であるビス２１などによって、第２ロッド１９の長手方向先端部と基台１５とが連結されている。基台１５の一表面部に、ボールジョイント機構２２を介してディスプレイ１２の背面部が固着されるようになっている。これによって基台１５に取付けられるディスプレイ１２を、任意の角度位置に調整することができる。
【００３０】
前記ボールジョイント機構２２のうちの球面座２３は、図示外のボールを受ける球面座本体２３ａおよび支持部２３ｂとを有する。これら球面座本体２３ａと支持部２３ｂとは一体形成されている。支持部２３ｂは、六角柱状に形成されており、支持部２３ｂの一部分が基台１５に支持されるようになっている。基台１５の一表面部に、円形状に突出する突出部２４が形成され、この突出部２４に六角孔２４ａが凹設されている。前記六角孔２４ａに、六角柱状の支持部２３ｂの一部分が嵌合するようになっている。支持部２３ｂには、雌ねじが形成され、後述する一方のコードガイド１６ａと協働して、基台１５に付設可能に構成されている。基台１５のうち前記一表面部の裏面側の他表面部に凹所１５ｂが形成され、前記他表面部側からビス２５を挿入し、支持部２３ｂの雌ねじに螺着可能になっている。このとき支持部２３ｂが六角柱状に形成され、支持部２３ｂの一部分が突出部２４の六角孔２４ａに嵌合しているので、支持部２３ｂがビス２５と共まわりすることを防止することができる。したがって支持部２３ｂを基台１５に確実に固着することができる。前記球面座２３が、取付スタンドに付設されるべき他の部品に相当する。
【００３１】
図８は、他方のコードガイド１６ｂおよび、このコードガイド１６ｂを嵌合可能なスタンド本体の要部を、一部切断して見た断面図である。図９は、他方のコードガイド１６ｂおよび、このコードガイド１６ｂを嵌合可能なスタンド本体の要部を、ガイド部の突出方向他方から見た底面図である。図４、図５および図７も参照しつつ説明する。コードガイド１６は、一方および他方のコードガイド１６ａ，１６ｂを含む。基台１５に一方のコードガイド１６ａが付設され、前記位置決め部材２０に他方のコードガイド１６ｂが付設されている。先ず、一方のコードガイド１６ａについて説明する。
【００３２】
一方のコードガイド１６ａは、第１ガイド部２６と第１付設部２７とを有し、これら第１ガイド部２６および第１付設部２７は、たとえば樹脂材で一体形成されている。第１ガイド部２６および第１付設部２７を、ゴムなどの弾性体、金属材料および非金属材料の少なくともいずれか１つから形成してもよい。第１付設部２７は、一方のコードガイド１６ａを基台１５に着脱可能に固着するためのものであり、第１ガイド部２６は、基台１５に固着されるディスプレイ１２から延びるコード類２８をスタンド本体１４に沿って保持する機能を有する。第１付設部２７は、第１ガイド部２６の突出方向に直交する仮想平面に沿って略矩形状に形成されている。前記「略矩形状」は矩形状を含む。しかも、この略矩形状に形成される第１付設部２７は、基台１５の凹所１５ｂに緊密に嵌合するように形成されている。したがってスタンド本体１４に対し、一方のコードガイド１６ａのがたつきを極力抑えることができるとともに、第１付設部２７がビス２５と共まわりすることを防止することができる。これによって第１ガイド部２６を所定の角度位置に規制することができる。この第１付設部２７にスリット２７ａが形成されている。第１付設部２７を基台１５の凹所１５ｂに嵌合した状態で、ビス２５および座金２９を基台１５の他表面部側から凹所１５ｂに挿入可能になっている。ビス２５のねじ部は、スリット２７ａを通して、支持部２３ｂの雌ねじに螺着可能になっている。ビス２５のねじ部を、支持部２３ｂの雌ねじに螺着した状態において、前記ねじ部の頭部が少なくとも基台１５の他表面部よりも突出しないようになっている。
【００３３】
第１ガイド部２６は、切欠部分２６ａを含むリング形状に構成されている。この第１ガイド部２６は、ロッド長手方向に平行に延びる軸線まわりに形成される。切欠部分２６ａは、第１ガイド部２６のうち基台１５に近接する一部分であって、たとえば約２０度の角度範囲にわたる一部分が切欠き形成されて成る。このような第１ガイド部２６によって、コード類２８を挿通するとともに、コード類２８を変位可能に保持し得る。この変位可能な方向とは、ロッド長手方向に平行な軸線方向およびこの軸線方向に垂直な半径方向と同義である。図７において、前記軸線方向を矢符Ｌ１で表記し、前記半径方向を矢符Ｒ１で表記している。よって第１ガイド部２６は、コード類２８を挿通するとともに、コード類２８を軸線方向に変位可能でかつ半径方向に変位可能に保持し得る。
【００３４】
図１０は、他方のコードガイド１６ｂを示す図であり、図１０（ａ）は、前記コードガイド１６ｂを長手方向に見て示す側面図、図１０（ｂ）は、前記コードガイド１６ｂをガイド部の突出方向他方から見た底面図、図１０（ｃ）は、前記コードガイド１６ｂの正面図である。図８および図９も参照しつつ説明する。他方のコードガイド１６ｂは、第２ガイド部３０と第２付設部３１とを有し、これら第２ガイド部３０および第２付設部３１は、たとえば樹脂材で一体形成されている。第２ガイド部３０および第２付設部３１を、ゴムなどの弾性体、金属材料および非金属材料の少なくともいずれか１つから形成してもよい。第２付設部３１は、他方のコードガイド１６ｂを位置決め部材２０に着脱可能に固着するためのものであり、第２ガイド部３０は、基台１５に固着されるディスプレイ１２から延びるコード類２８をスタンド本体１４に沿って保持する機能を有する。この第２ガイド部３０は、切欠部分３０ａを含むリング形状に構成されている
第２付設部３１は、コード類２８に与えられる力に基づいて、位置決め部材２０に嵌合して付設されている状態（図４および５参照）から離脱される離脱状態（図８および図９参照）に切替え可能に構成されている。位置決め部材２０には、ロッド長手方向一方に凹設される嵌合孔２０ｃが形成されている。この嵌合孔２０ｃは、第２付設部３１の形状に対応してこの第２付設部３１がややタイトに嵌合可能に凹設されている。第２付設部３１は、第２ガイド部３０の突出方向に略直交する仮想平面に沿って形成されている。第２付設部３１は、前記ロッド長手方向に所定距離伸びるくさび形状を成している。
【００３５】
つまり図９および図１０（ｂ）に示すように、第２付設部３１は、この第２付設部３１を厚み方向に見て嵌合方向に向かうに従ってやや幅狭となるテーパ形状に形成される。しかも図８および図１０（ｃ）に示すように、第２付設部３１は、この第２付設部３１を前記厚み方向および嵌合方向に直交する方向から見て、嵌合方向に向かうに従ってやや薄肉となるテーパ形状に形成される。第２付設部３１は、このようなテーパ形状を有するので、コード類２８に与えられる力に基づいて、位置決め部材２０に嵌合して付設されている状態から離脱される離脱状態に切替え可能になっている。第１実施形態においては、位置決め部材２０の他表面部側の壁部に部分的に貫通孔２０ｄが形成されている。これによって位置決め部材２０の軽量化を図ることが可能となる。位置決め部材２０において、この貫通孔が形成されない構造にする場合もある。
【００３６】
図１１は、ロック機構を備える他方のコードガイド１６ｂの正面図である。図１２は、ロック機構を備える他方のコードガイド１６ｂの底面図である。他方のコードガイド１６ｂのうち第２付設部３１には、ロック機構としての突起部分３２が形成されている。この突起部分３２は、第２付設部３１が位置決め部材２０に嵌合して付設される状態を保持する（嵌合状態という）機能を有する。前記嵌合状態において、突起部分３２は、位置決め部材２０の貫通孔２０ｄから露出するように配設されているうえ、貫通孔２０ｄの一部を成す一側壁部２０ｅに係合するようになっている。逆に一側壁部２０ｅに対し突起部分３２を非係合状態にすることで、第２付設部３１の嵌合状態を解除することができる。
【００３７】
以上説明した第１実施形態に係る取付スタンド１０によれば、ディスプレイ１２から延びるコード類２８は、一方および他方のコードガイド１６ａ，１６ｂによってスタンド本体１４に沿って保持可能になっている。取付スタンド１０は、このような一方および他方のコードガイド１６ａ，１６ｂを備えているので、従来のようなコード類を結束する手間を省略することが可能となる。つまり第１実施形態によれば、従来のように、コードガイドの一方の結束部を取付スタンドの一部に捩り付けて結束するとともに、コードガイドの他方の結束部をコード類に捩り付けて結束する必要がなくなる。本第１実施形態では、コード類２８を一方および他方のコードガイド１６ａ，１６ｂによって単に保持し案内するだけなので、その作業能率の向上を図ることができるだけでなく、取付スタンド１０およびコード類２８が変位することに起因するコード類２８の断線を未然に防止することができる。特に、スタンド本体１４の第１ロッド１８に対し、第２ロッド１９を位置調整する際、コード類２８が引っ張られることを防止することができるので、コード類２８の断線を未然に防止することができる。しかも捩り付けて結束する結束部がなくなるので、見栄えをよくすることができる。
【００３８】
一方のコードガイド１６ａは、基台１５に着脱可能に構成され、他方のコードガイド１６ｂは、位置決め部材２０に着脱可能に構成されている。したがって一方および他方のコードガイド１６ａ，１６ｂの少なくともいずれか一つを取付スタンド１０に装着した状態で、コード類２８を保持し案内することができる。逆に、一方および他方のコードガイド１６ａ，１６ｂを離脱した状態で、コード類２８を前記コードガイド１６ａ，１６ｂによって保持し、その後一方および他方のコードガイド１６ａ，１６ｂを取付スタンド１０に装着することもできる。このようにコードガイド１６が着脱可能に構成されるので、コードガイド自体の修理が容易になるうえ、取付スタンド１０に対し、コードガイド１６の汎用性を高くすることができる。
【００３９】
一方のコードガイド１６ａは、球面座２３と協働して基台１５に付設可能になっているので、これら一方のコードガイド１６ａおよび球面座２３の取付構造を兼用することができる。それ故、一方のコードガイド１６ａを基台１５に単独で付設する構造にするよりも、取付スタンド１０全体の部品点数の低減を図り、構造を簡略化することが可能となる。これによって取付スタンド１０の製作コストの低減を図ることが可能となる。第１および第２ガイド部２６，３０は、切欠部分２６ａ（３０ａ）を含むリング形状に構成されているので、切欠部分２６ａ（３０ａ）から各ガイド部２６（３０）にコード類２８を挿通することができるうえ、コード類２８を切欠部分２６ａ（３０ａ）からガイド部外に離脱することができる。このようにコード類２８をガイド部２６（３０）に保持する作業、およびコード類２８をガイド部外に離脱するための作業能率の向上を図ることができる。
【００４０】
第１および第２ガイド部２６，３０は、挿通されるコード類２８を変位可能に保持するので、仮にコード類２８を不所望に引っかけた場合であっても、その断線を防止することができる。換言すれば、取付スタンド１０に対してコード類２８が相対的に変位することを許容することができるので、コード類２８の断線を未然に防止することができる。第１付設部２７は、基台１５の凹所１５ｂに緊密に嵌合するように形成されている。また第２付設部３１は、位置決め部材２０の嵌合孔２０ｃにややタイトに嵌合可能に形成されている。それ故、スタンド本体１４に対する一方および他方のコードガイド１６ａ，１６ｂのがたつきを極力抑えることが可能となる。
【００４１】
第２付設部３１は、前述のようなテーパ形状を有するので、コード類２８に与えられる力に基づいて、位置決め部材２０に嵌合して付設されている状態から離脱される離脱状態に切替え可能になっている。たとえばコード類２８を不所望に引っかけてコード類２８に引っ張り力が作用した場合に、位置決め部材２０に嵌合して付設されている第２付設部３１が、位置決め部材２０から容易に離脱し得る。これによってコード類２８の断線を防止することができる。その後第２付設部３１を位置決め部材２０に容易に嵌合することもできる。第２付設部３１が前記ロック機構を備えている場合には、このロック機構によって、位置決め部材２０に第２付設部３１が嵌合して付設される状態を保持することができる。換言すれば、位置決め部材２０から第２付設部３１が不所望に離脱するのを防止することができる。
【００４２】
図１３は、一方および他方のコードガイド１６ａ，１６ｂの切欠部分を拡大して示す側面図である。図１４は、本発明の変更形態に係るコードガイド３３を拡大して示す側面図である。図１５は、本発明の実施の他の形態に係るコードガイド３４と、コード類２８との関係を示す斜視図である。図１６は、本発明の実施のさらに他の形態に係るコードガイド３４，３５を拡大して示す側面図である。
【００４３】
第１実施形態においては、一方および他方のコードガイド１６ａ，１６ｂは、切欠部分２６ａ（３０ａ）を含むリング形状に構成されているが、必ずしもこの構成に限定されるものではない。図１４、図１５に示すように、コードガイド３３，３４を切欠部分のないリング形状に構成してもよい。この場合には、コード類２８とともに前記コードガイド３３，３４を取付スタンドに固着することが可能となる。しかもコード類２８がこのコードガイド３３，３４から不所望に離脱することを防止することができる。図１６に示すように、一つのコードガイド３４（３５）に、複数のガイド部を一体的に設けることも可能である。この場合には、複数本のコード類２８をたとえば略平行に保持することができ、見栄えをよくすることができる。
【００４４】
図１７は、本発明の第２実施形態に係るコードガイド３６と、取付スタンドとの関係を概略示す斜視図である。図１８は、取付スタンドにおいて、コードガイド３６を可動に取付けるための溝部分３７を示す底面図である。図１９は、取付スタンドおよびコードガイド３６を、長手方向に垂直な仮想平面で切断して見た断面図である。ただし第１実施形態と同一の部材には同一の符号を付し、その詳細な説明は省略する。
【００４５】
前記取付スタンド１０Ａは、主に、図示外のスタンドベース１３、スタンド本体１４、電子機器基台１５（基台１５という）およびコードガイド３６，１６ａを有する。ヘッドレスト１１Ａの一対の軸部に、スタンドベース１３が着脱可能に設けられる。スタンド本体１４は、第１，第２ロッド１８，１９および位置決め部材２０を備えている。スタンドベース１３には第１ロッド１８が固着され、この第１ロッド１８に、第２ロッド１９が摺動可能に挿入されている。
【００４６】
取付対象部である第２ロッド１９には、コードガイド３６の一部が可動に取付け可能に構成されている。ただし取付対象部は第２ロッド１９だけに限定されるものではない。たとえば、第１ロッド１８を取付対象部とすることも可能である。前記コードガイド３６は、第２ロッド１９にこのコードガイド３６を摺動可能に支持するための摺動支持部３６ａと、コード類２８を案内するためのガイド部３６ｂとを有する。これら摺動支持部３６ａおよびガイド部３６ｂは、一体形成されている。第２ロッド１９の一表面部には、コードガイド３６を可動に取付けるための溝部分３７が、第２ロッド１９の長手方向に平行に形成されている。この溝部分３７に摺動支持部３６ａが嵌入され、コードガイド３６が摺動するようになっている。
【００４７】
したがって前記コードガイド３６は、基台１５に付設される一方のコードガイド１６ａに対し、近接離隔可能に配設される。これによって、コード類２８のたるみを防止できるうえ、従来の取付対象部の複数箇所において結束すべき複数のコードガイドよりも、その部品点数を低減することができる。しかも取付スタンド１０Ａおよびコード類２８が車両本体に対し変位することに起因するコード類２８の断線を、未然に防止することができる。
【００４８】
図２０は、取付スタンドにおいて、コードガイド３６を所望位置に規制するための第１の溝部分３８を示す底面図である。図２１は、取付スタンドにおいて、コードガイド３６を所望位置に規制するための第２の溝部分３９を示す底面図である。図２２は、複数列の溝部分４０が形成された取付スタンドの底面図である。図２３は、コード類が、コードガイド３６の可動方向に沿って伸縮可能に形成された例を示す図である。
【００４９】
図２０に示すように、第２ロッド１９の一表面部に形成されるべき第１の溝部分３８は、コードガイド３６をロッド長手方向の所望位置に規制するように形成されている。つまり第１の溝部分３８は、幅狭部分３８ａと幅広部分３８ｂとがロッド長手方向に一定間隔おきに形成され、前記幅狭部分３８ａが形成される位置において、コードガイド３６が規制される。ただし幅狭部分３８ａと幅広部分３８ｂとを適当間隔おきに形成してもよい。このように第１の溝部分３８は、コードガイド３６の可動範囲において、コードガイド３６を所望位置に規制するように形成されている。
【００５０】
換言すれば、コード類２８を案内すべき所望位置において、コードガイド３６を規制することができる。これによってコードガイド３６の汎用性を高くすることができる。図２１に示すように、第２の溝部分３９を波形状に形成し、幅狭部分となる位置においてコードガイド３６を規制することも可能である。図２２に示すように、ロッド長手方向に平行な複数列の溝部分４０を、第２ロッド１９に形成してもよい。この場合には、複数本のコード類２８を見栄えよく案内することができる。図２３に示すように、コード類を、ロッド長手方向つまりコードガイド３６の可動方向に沿って伸縮可能に形成したカールコード４１を適用してもよい。この構成によれば、コードガイド３６の可動に伴ってカールコード４１は伸縮し得る。このようにコード類の伸縮によって、コードガイド３６が可動方向に可動することを許容することができる。これによってコード類が断線することを防止することができる。
【００５１】
本発明の実施の他の形態として、後部座席のヘッドレストの軸部に、取付スタンドを固着することも可能である。本実施形態においては、電子機器としてディスプレイが適用されるが、この電子機器は、必ずしもディスプレイに限定されるものではない。第１実施形態においては、一方および他方のコードガイドが設けられているが、スタンド本体に沿って三つ以上のコードガイドを設ける構成にすることも可能である。第１実施形態においては、第１付設部を略矩形状に形成し、基台に凹所にこの第１付設部を緊密に嵌合させることで、第１付設部がビスと共まわりすることを防止しているが、必ずしもこの構造に限定されるものではない。たとえば第１付設部を略矩形状以外の形状に形成することも可能である。たとえば基台の他表面部に複数の凸部（ピンでもよい）を形成しておき、第１付設部の側壁部をこれら複数の凸部に当接させることで、ビスと共まわりすることを防止することも可能である。一方のコードガイドと協働して基台に付設するための他の部品として、球面座が適用されているが、球面座以外の他の部品を適用してもよい。車両の停車時において、電子機器を車室外に配設する場合もあり得る。
【図面の簡単な説明】
【００５２】
【図１】本発明の第１実施形態に係る取付スタンド１０と車両との関係を概略示す斜視図である。
【図２】車両用シート１１の一部に、取付スタンド１０を介してディスプレイ１２が支持される形態を示す斜視図である。
【図３】取付スタンド１０のスタンド本体１４とコードガイド１６とを示す斜視図である。
【図４】取付スタンド１０を、スタンド本体１４の長手方向およびガイド部の突出方向を含む仮想平面で切断して見た断面図である。
【図５】一方のコードガイド１６ａに対し、他方のコードガイド１６ｂを長手方向に離隔した状態を示す断面図である。
【図６】取付スタンド１０の要部をガイド部の突出方向に見た平面図である。
【図７】一方のコードガイド１６ａを嵌合可能なスタンド本体の要部を示す図であり、図７（ａ）は、前記スタンド本体の要部を、その長手方向およびガイド部の突出方向を含む仮想平面で切断して見た断面図、図７（ｂ）は、前記スタンド本体の要部を、ガイド部の突出方向他方から見た底面図、図７（ｃ）は、前記スタンド本体の要部を、長手方向に見た側面図である。
【図８】他方のコードガイド１６ｂおよび、このコードガイド１６ｂを嵌合可能なスタンド本体の要部を、一部切断して見た断面図である。
【図９】他方のコードガイド１６ｂおよび、このコードガイド１６ｂを嵌合可能なスタンド本体の要部を、ガイド部の突出方向他方から見た底面図である。
【図１０】他方のコードガイド１６ｂを示す図であり、図１０（ａ）は、前記コードガイド１６ｂを長手方向に見て示す側面図、図１０（ｂ）は、前記コードガイド１６ｂをガイド部の突出方向他方から見た底面図、図１０（ｃ）は、前記コードガイド１６ｂの正面図である。
【図１１】ロック機構を備える他方のコードガイド１６ｂの正面図である。
【図１２】ロック機構を備える他方のコードガイド１６ｂの底面図である。
【図１３】一方および他方のコードガイド１６ａ，１６ｂの切欠部分を拡大して示す側面図である。
【図１４】本発明の変更形態に係るコードガイド３３を拡大して示す側面図である。
【図１５】本発明の実施の他の形態に係るコードガイド３４と、コード類２８との関係を示す斜視図である。
【図１６】本発明の実施のさらに他の形態に係るコードガイド３４，３５を拡大して示す側面図である。
【図１７】本発明の第２実施形態に係るコードガイド３６と、取付スタンドとの関係を概略示す斜視図である。
【図１８】取付スタンドにおいて、コードガイド３６を可動に取付けるための溝部分３７を示す底面図である。
【図１９】取付スタンドおよびコードガイド３６を、長手方向に垂直な仮想平面で切断して見た断面図である。
【図２０】取付スタンドにおいて、コードガイド３６を所望位置に規制するための第１の溝部分３８を示す底面図である。
【００５３】
【図２１】取付スタンドにおいて、コードガイド３６を所望位置に規制するための第２の溝部分３９を示す底面図である。
【図２２】複数列の溝部分４０が形成された取付スタンドの底面図である。
【図２３】コード類が、コードガイド３６の可動方向に沿って伸縮可能に形成された例を示す図である。
【図２４】従来のコードガイド１を示す斜視図である。
【符号の説明】
【００５４】
１０  取付スタンド
１２  ディスプレイ
１４  スタンド本体
１５  基台
１６ａ，１６ｂ  一方および他方のコードガイド
２３  球面座
２６  第１ガイド部
２６ａ，３０ａ  切欠部分
２７  第１付設部
２８  コード類
３０  第２ガイド部
３１  第２付設部
３２  突起部分
【図１】
2005313782.tif 000003
【図２】
2005313782.tif 000004
【図３】
2005313782.tif 000005
【図４】
2005313782.tif 000006
【図５】
2005313782.tif 000007
【図６】
2005313782.tif 000008
【図７】
2005313782.tif 000009
【図８】
2005313782.tif 000010
【図９】
2005313782.tif 000011
【図１０】
2005313782.tif 000012
【図１１】
2005313782.tif 000013
【図１２】
2005313782.tif 000014
【図１３】
2005313782.tif 000015
【図１４】
2005313782.tif 000016
【図１５】
2005313782.tif 000017
【図１６】
2005313782.tif 000018
【図１７】
2005313782.tif 000019
【図１８】
2005313782.tif 000020
【図１９】
2005313782.tif 000021
【図２０】
2005313782.tif 000022
【図２１】
2005313782.tif 000023
【図２２】
2005313782.tif 000024
【図２３】
2005313782.tif 000025
【図２４】
2005313782.tif 000026